(57)【要約】　　　（修正有）【課題】塗布手段が化粧品容器の外部に固定されており、化粧品容器の内部から高粘度流動性化粧品が供給される化粧用具であって、化粧品を無駄にすることなく最後まで完全に使用し切ることが可能なものを提供する。【解決手段】シリンダー１、ピストン２及び塗布手段４を含んでなる高粘度流動性化粧品を塗布するための化粧用具であって、該シリンダーの一方の端は開放され他方の端は閉塞しており、該閉塞末端には塗布手段が結合され、シリンダー内部から塗布手段先端に開いた吐出口６まで化粧品組成物の流路が通じており、一方、該シリンダーの開放末端からはシリンダー内部にピストンを挿入でき、該ピストンは該シリンダーの内壁に嵌合し密着したまま移動可能なピストン先端部および該先端部を押し込むロッド部からなることを特徴とする。【選択図】図２Ａ
2004065467.tif 000002
【特許請求の範囲】
【請求項１】
シリンダー、ピストン及び塗布手段を含んでなる高粘度流動性化粧品を塗布するための化粧用具であって、該シリンダーの一方の端は開放され他方の端は閉塞しており、該閉塞末端には塗布手段が結合され、該シリンダー内部から塗布手段先端に開いた吐出口まで化粧品組成物の流路が通じており、一方、該シリンダーの開放末端から該シリンダー内部に挿入可能なピストンは、該シリンダーの内壁に嵌合し密着したまま移動可能なピストン先端部および該先端部を押し込むロッド部からなることを特徴とする前記化粧用具。
【請求項２】
該ピストン先端部がゴム弾性を有する材料からなる請求項１に記載の化粧用具。
【請求項３】
ピストンを構成するロッド部と先端部が分離可能であることを特徴とする請求項１又は２に記載の化粧用具。
【請求項４】
ピストンを構成するロッド部と先端部の両部材が、ロッド部を先端部に押し込むと両者が物理的に一体化し、ロッドをシリンダーから引き出すと先端部から分離するように形成されていることを特徴とする請求項３に記載の化粧用具。
【請求項５】
該塗布手段とシリンダーとの結合が一体不可分であることを特徴とする請求項１〜４のいずれか１項に記載の化粧用具。
【請求項６】
該塗布手段がシリンダーに対して着脱可能であることを特徴とする請求項１〜４のいずれか１項に記載の化粧用具。
【請求項７】
該塗布手段がシリンダーの閉塞末端に形成された突出部に対して着脱可能なキャップ構造を有する請求項６に記載の化粧品用具。
【請求項８】
該塗布手段の形状が球状体または扁平球状体であることを特徴とする請求項１〜７のいずれか一項に記載の化粧用具。
【請求項９】
該塗布手段の形状がヘラ状又はくし状であることを特徴とする請求項１〜７のいずれか１項に記載の化粧用具。
【請求項１０】
該塗布手段がスポンジ状材料の成形体からなることを特徴とする請求項１〜７のいずれか１項に記載の化粧用具。
【請求項１１】
該塗布手段がはけ状又は筆状である請求項１〜７のいずれか１項に記載の化粧用具。
【請求項１２】
請求項３〜７のいずれか１項に記載の化粧用具の組み立て用キットであって、ピストンの先端部から分離したロッド部分とともに、該ピストンの先端部と塗布手段の先端を栓によって封じられた吐出口との間の空間に化粧品組成物が充填されたシリンダーとして提供されることを特徴とする前記キット。
【請求項１３】
請求項６又は７に記載の化粧用具の組み立て用キットであって、シリンダーから分離した塗布手段およびピストンの先端部から分離したロッド部分とともに、該ピストンの先端部と閉塞末端の突出部を栓によって封じられた開口との間の空間に化粧品組成物が充填されたシリンダーとして提供されることを特徴とする前記キット。
【請求項１４】
請求項８〜１１に記載の塗布手段の中から選択される少なくとも１つの塗布手段を含むことを特徴とする請求項１２または１３に記載のキット。
【発明の詳細な説明】
【０００１】
【発明の属する技術分野】
本発明は、高粘度流動性化粧品のための化粧用具に関し、特に、化粧品の容器と塗布手段が一体となって構成された化粧用具に関する。
【０００２】
【従来技術】
体の皮膚の特定部位や爪などに直接塗布して使用する化粧品の多くは、乳液、クリーム、ジェル、ペーストなど高粘度流動体である。このような高粘度流動体化粧品の中には、ブラシ、ヘラ、筆、ハケのような塗布用具とともに提供されるのが通常である。典型的なものとしては、塗布手段が容器の蓋の内側に固定された状態で容器内に収容されており、蓋とともに容器部分から取り外せば化粧品塗布具として直ちに使用することができるような化粧品の容器および化粧用具が知られている。
【０００３】
一方、塗布手段が化粧品容器部分の外部に固定され一体となって構成され、塗布手段に容器内部から化粧品組成物が直接供給されるようにつくられた化粧用具が近年普及している。このタイプの化粧用具では、使用時に容器内の化粧品組成物が外部と遮断され、化粧品自体の乾燥や汚染を避けることができるという利点がある。
【０００４】
特開平５−２６９０２０号には、マスカラのような粘性化粧品を塗布するための化粧用具として、気密性の円筒形容器内部に収容された化粧品を、円筒容器の開口部に連通する管部を通じて、管部先端に固定された塗布手段に供給する化粧用具が開示されている。
【０００５】
同様の化粧用具として、特開昭５４−１４６１５７号や特開昭６２−２７９０３号には、化粧品を充填した筒状容器と一体化した流動性化粧品塗布器が開示されており、これらの塗布器では容器内部から化粧品の供給を受ける塗布手段は多孔質パットやブラシである。
【０００６】
【発明が解決しようとする課題】
しかし、これらの化粧用具では、上述のような容器の構造上の特徴から、化粧品の残量が少なくなると容器内部に付着して残った化粧品を取り出して使用することが困難になるという不便さがある。
【０００７】
さらに、乳液、クリーム、ジェル、ペースト等の高粘度流動性化粧品は、容器の内壁に付着しやすいため、容器の構造によっては化粧品を最後まで使い切ることは実際上困難であった。例えば、クリームの場合に従来使用されてきたチューブ容器では、内容物の残量が少なくなると外部からチューブを指で押すなどして内容物を絞り出そうとしても、容器内部に付着した内容物を完全に取り出すことは難しい。また、ジェルや液状製品の場合には、内容物を吸い上げるためのポンプ式ディスペンサーを備えたボトル容器が多く使用されているが、内容物の残量が少なくなると内容物の吸引が困難になる。
【０００８】
また、高価格帯の化粧品は、通常、容量の少ない容器に充填され消費者に提供されており、当該化粧品が高粘度流動性化粧品の場合には容器内に付着して最後まで使い切ることのできない残留量の割合が相対的に高くなることから、消費者の間に潜在的な不満が存在した。
【０００９】
このような事情から、高粘度流動性化粧品をわずかな量も無駄にすることなく容器内から完全に取り出して使用することが可能な化粧用具に対する需要が存在する。
【００１０】
【課題を解決するための手段】
上述の問題点を解決するために、発明者らは化粧品用具の構造を鋭意検討した結果、高粘度流動性化粧品に適した新規の化粧用具の発明を完成するに至った。
【００１１】
すなわち、本発明は、シリンダー、ピストン及び塗布手段を含んでなる高粘度流動性化粧品を塗布するための化粧用具であって、該シリンダーの一方の端は開放され他方の端は閉塞しており、該閉塞末端には塗布手段が結合され、シリンダー内部から塗布手段先端に開いた吐出口まで化粧品組成物の流路が通じており、一方、該シリンダーの開放末端からはシリンダー内部にピストンを挿入でき、該ピストンは該シリンダーの内壁に嵌合し密着したまま移動可能なピストン先端部および該先端部を押し込むロッド部からなることを特徴とする前記化粧用具に関する。
【００１２】
さらに、本発明は、上記化粧用具を消費者に実際に配布するための形態として、上記化粧用具の組み立て用キットも同時に提供する。
【００１３】
【発明の実施の形態】
本発明の化粧用具は化粧品組成物の貯蔵部分と塗布手段に大別される。
【００１４】
化粧品組成物の貯蔵部分は、シリンダーとピストンからなるシリンジ様構造を有する。シリンダーの一方の末端は閉塞され、他方の末端は開放されている。開放末端側からピストンを挿入し、シリンダー内部に充填された高粘度流動性化粧品組成物を、シリンダーの閉塞末端側に開いた吐出口から押出すことが可能である。
【００１５】
シリンダーの材質は当該形状への成形に適した材料であればよく、具体的にはプスチックまたはガラスである。シリンダーは内部の化粧品組成物の残量が分かるように透明または半透明の材質を使用してもよいが、化粧品の安定な保存が必要な場合など個別の事情に応じて適当な着色を行ってもよい。
【００１６】
シリンダーは円柱構造であるが、使用目的に影響がなければ、多角形の断面形状を有する筒状構造によって代用してもよい。
【００１７】
ピストンはシリンダーの内壁に密着して移動する先端部とシリンダーの全長よりやや長いロッド部から構成される。ロッド部は先端部と結合して該先端部を押し込む役割を有するため、指などで押し込みやすいように末端操作部分の形状が適宜加工されていることが好ましい。シリンダーのロッドの材質には一般に形状加工の容易なプラスチックが使用される。ロッドの断面は先端部の断面に均一に加圧できる形状であれば、特に制限されるものではないが、一例としては十字形の断面が挙げられる（図３参照）。
【００１８】
ピストンの先端部は化粧品組成物を容器に気密状態で密封し、化粧品組成物の漏洩を防止できるものであることが望ましい。加えて化粧品組成物との長時間にわたる接触によって自身の劣化や化粧品組成物の汚染を引き起こさない化学的に安定な材質で構成されていることが必要である。さらに、ピストンに加えられた圧力に応じて、シリンダーの内壁に密着しながら適度な滑り具合でスライドするような材質であることが要求される。これらの点を考慮すると、先端部の材質にはゴム弾性材料（ポリオレフィン系ゴム、シリコン系ゴム、フルオロカーボン系ゴムなど）または軟質プラスチックが好適である。内壁に対する滑り具合（摩擦）を調整するために先端部と内壁の接触面を適宜加工してもよい。
【００１９】
ピストンの先端部はピストンのロッド部分と一体不可分な構造でもよいし、また分離可能な構造であってもよい。先端部とロッド部の結合方法は、特に限定するものではないが、例えば、先端部の部材にロッドをねじ込めるようにネジ山および溝を双方に形成し使用時に両者を螺合するタイプ、又は、ロッドの先端に楔状の突起を形成し、ピストン先端部の部材に該突起が適合する孔を形成しておき、使用時にロッドを先端部材に押し込ん両者を一体化するタイプなどがあり得る。
【００２０】
しかし、両者が分離可能な場合には、ロッド部を先端部に押し込むと両者が物理的に一体化し、ロッドをシリンダーから引き出すと先端部から分離するように形成されていることが望ましい。このようなピストンは、シリンダーからピストンを引き出しても、シリンダー内にピストンの先端部を残したまま、ロッドのみがはずれるため、誤って閉塞末端側の吐出口からシリンダー内に空気を吸い込むことがなく、シリンダー内への空気の侵入を防止でき内容物の品質を守る点で有利である。
【００２１】
シリンダー内の化粧品組成物中に空気が侵入すると一旦押し込んだピストンを逆戻りさせるように反動作用が働くことから、逆戻り防止用のストッパーとしてシリンダーの内壁の開放末端近くに突起物を設けてもよい。
【００２２】
本発明における化粧品塗布手段は、シリンダーの閉塞末端側に結合されており、塗布手段には吐出口が存在し、化粧品組成物がシリンダー内部から外部に流出可能な通路が該吐出口まで延びている。通路の断面の形状および面積は用途および先端部の形状に応じて適宜変更することができる。
【００２３】
塗布手段とシリンダーとを一体成形によって製造してもよいが、場合によっては、塗布手段をシリンダーに対して着脱可能な独立した部品として製造してもよい。
【００２４】
後者の場合には、シリンダーの閉塞末端に形成された突出部に対し適合する形状の塗布手段をキャップのように着脱させる構造が便利である。塗布手段を突出部にネジ式に螺合させる構造でも構わない。しかし、いずれの取り付け方法においても、化粧品の吐出時にかかる圧力によって塗布手段が外れたり、結合部分の隙間から化粧品が漏洩したりすることのないように両者は強固に密着することが必要である。
【００２５】
塗布手段の形状は、塗布する化粧品の種類、効果、粘度、化粧品を塗布する部位、塗布面積を考慮して、適宜選択可能であるが、塗布部位に損傷を与えない形状、材質の先端部を使用するのが適当である。したがって、先端が剛体形状の場合には、球状体、扁平球状体、回転楕円体、円筒体、ロール構造などの鋭利でない先端形状が好ましい。
【００２６】
また、広範囲な部位への塗布を効率的に行うためには、へら状又はくし状に加工変形された先端部が好適である。
【００２７】
さらに、均一な塗布、狭い部位への塗布あるいは微妙な濃淡の差をつけた化粧品の塗布を可能にするための形状として筆や刷毛もまた有用である。
【００２８】
先端部の材質は用途に応じて硬質、軟質のいずれのプラスチックでもよく、通常の化粧品の塗布に利用されるようなスポンジ状材料を適当な形状の加工して使用することも可能である。
【００２９】
本発明の化粧用具は、化粧品をシリンダー内に予め充填して消費者に提供することが可能である。したがって、シリンダー内部の化粧品組成物は外部から遮断され、汚染や乾燥といった悪影響を受けることがほとんどないという利点がある。
【００３０】
なお、シリンダー内に化粧品を多量に充填した状態では、ピストンがシリンダーから大きく飛び出すこととなるから、外部からの衝撃によって容易にピストンやキャップが脱離して化粧品が流出することが懸念される。このような場合に、ピストンのロッド部をシリンダー本体から分離した状態で保管または運搬し、使用時には消費者自身が化粧用具を組み立てることができるキットの形で提供できれば便利である。
【００３１】
したがって、本発明の化粧用具は、ピストンの先端部から分離したロッド部分とともに、該ピストンの先端部と塗布手段の先端を栓によって封じられた吐出口との間の空間に化粧品組成物が充填されたシリンダーを組み立て用キットとして提供してもよい。
【００３２】
さらにまた、本発明の化粧用具は、シリンダーから分離した塗布手段およびピストンの先端部から分離したロッド部分とともに、該ピストンの先端部と閉塞末端の突出部を栓によって封じられた吐出口との間の空間に化粧品組成物が充填されたシリンダーを組み立て用キットとして提供することも可能である。
【００３３】
なお、塗布手段が着脱可能な場合には、化粧品の性質や用途に応じてキットに形状の異なる複数の着脱可能な塗布手段のセットを含めて提供してもよく、また、塗布手段のセットの一部または全部を化粧品充填シリンダーとは別途提供することもできる。
【００３４】
【実施例】
以下に図面を参照しながら本発明を具体的にに説明するが、図面はいずれも例示であって、本発明を当該図面に示された形状および構造を有するものに限定するものではない。
【００３５】
図１は本発明の塗布手段を装着する前の状態の化粧用具の構造を示す断面図であり、図２Ａは塗布手段をシリンダーに装着した後の本発明の化粧用具の構造を示す断面図を示す。
【００３６】
図１および図２において、ピストン（２）はシリンダー（１）の途中まで挿入され、該ピストンの先端部（８）がシリンダーの内壁に接しながら嵌合している。ピストンのロッド部（１０）はシリンダーの開放末端側にのび、その末端に位置する操作部（９）は指が掛かり易いように加工されている。シリンダーの閉塞末端には突出部（３）が形成されている。該突出部には塗布手段（４）をキャップのように装着することができる。該突出部の先端には開口（５）が存在し、シリンダー内部まで流路（７）が通じている。
【００３７】
図２Ａでは塗布手段（４）の形状は球状体である。
【００３８】
図２Ｂはシリンダーと球状の塗布手段とが一体に成形された化粧用具の断面を示す図である。
【００３９】
図３は、ピストンの分解図である。図のように、ピストンのロッド部と先端部は分離可能であり、ロッドの突起部分がピストンの先端部材にネジ込まれて固定化され、両者一体となってピストンとして機能する。
【００４０】
図４〜７はそれぞれ本発明において提案された異なる形状の塗布手段を備えた化粧用具の断面図を例示したものである。図４の塗布手段の形状は球状体を押しつぶした扁平な球状体を示すが、ラグビーボール型の楕円体も同様に好適である。図５の塗布手段の形状は「へら」タイプ及び「くし」タイプである。図６は「はけ」タイプである。図７はスポンジ状材料（１２）を成形したものを塗布手段としたもので、形状としては先端部の面積が比較的広い扁平タイプとペン先のように先端の面積が狭い「ペン」タイプを例示する。各図のＡはシリンダーの突出部に塗布手段がキャップとして装着された構造と塗布手段のみの部分構造に対応し、各図のＢはシリンダーと塗布手段とが一体に成形されたものに対応する。
【００４１】
いずれの形状においても、シリンダー内部から塗布手段先端の吐出口（６）まで化粧品組成物の流路（７）が通じでおり、ピストンを押し込むことによってシリンダー内部の化粧品組成物が塗布手段に供給される点で共通する。
【００４２】
図８は本発明の化粧用具に化粧品組成物（１１）を充填した状態を示す断面図である。このようにシリンダーは化粧品組成物の貯蔵部分に対応する。突出部には塗布手段の代りに、化粧品組成物の流出防止のためにキャップ（１３）（例えば合成ゴム製）が嵌められている。
【００４３】
【発明の効果】
本発明の高粘度流動性化粧品用の化粧用具は、塗布手段が化粧品容器（貯蔵部分）の外部に固定された化粧用具において化粧品組成物が容器内に付着して残留して使用できないという不便さを解消し、化粧品組成物を無駄にすることなく完全に取り出して使用し切ることを可能にした。
【００４４】
また、本発明の化粧用具では、高粘度流動性化粧品の用途、性状に応じて、多様な形状を有する塗布手段との組合せが可能であるから、汎用性が高く、多様な化粧方法が実現できるという利点がある。
【図面の簡単な説明】
【図１】図１は塗布手段を装着する前の状態の化粧用具の断面図である。
【図２Ａ】図２Ａは球状体の形状を有する塗布手段を装着した本発明の化粧用具の断面図である。
【図２Ｂ】図２Ｂは球状体の形状を有する塗布手段がシリンダーと一体化した本発明の化粧用具の断面図である。
【図３】図３はピストンの分解図である。
【図４Ａ】図４Ａは扁平球状体の形状を有する塗布手段を装着した本発明の化粧用具の断面図である（下図は塗布手段の分離した状態を示す）。
【図４Ｂ】図４Ｂは扁平球状体の形状を有する塗布手段がシリンダーと一体化した本発明の化粧用具の断面図である。
【図５Ａ】図５Ａは「へら」タイプの塗布手段を装着した本発明の化粧用具（左）及び「くし」タイプの塗布手段を装着した本発明の化粧用具（右）の断面図である（下図は塗布手段の分離した状態を示す）。
【図５Ｂ】図５Ｂは「へら」タイプの塗布手段がシリンダーと一体化した本発明の化粧用具（左）及び「くし」タイプの塗布手段がシリンダーを一体化した本発明の化粧用具（右）の断面図である。
【図６Ａ】図６Ａは「はけ」タイプの塗布手段を装着した本発明の化粧用具の断面図である（下図は塗布手段の分離した状態を示す）。
【図６Ｂ】図６Ｂは「はけ」タイプの塗布手段がシリンダーを一体化した本件発明の化粧用具の断面図である・
【図７Ａ】図７Ａは扁平タイプのスポンジ成形体からなる塗布手段を装着した本発明の化粧用具（左）及びペンタイプのスポンジ状成形体からなる塗布手段を装着した本発明の化粧用具（右）の断面図である（下図は塗布手段の分離した状態を示す）。
【図７Ｂ】図７Ｂは扁平タイプのスポンジ成形体からなる塗布手段がシリンダーに一体化した装着した本発明の化粧用具（左）及びペンタイプのスポンジ状成形体からなる塗布手段がシリンダーに一体化した本発明の化粧用具（右）の断面図である。
【図８】図８は本発明の化粧用具に化粧品組成物を充填した状態を示す断面図である。ただし、塗布手段の代りにキャップが装着されている。
【符号の説明】
１　シリンダー
２　ピストン
３　突出部
４　塗布手段
５　開口
６　吐出口
７　流路
８　ピストン先端部
９　ピストン操作部
１０　ピストンロッド部
１１　化粧品組成物
１２　スポンジ成形体
１３　キャップ
【図１】
2004065467.tif 000003
【図２Ａ】
2004065467.tif 000004
【図２Ｂ】
2004065467.tif 000005
【図３】
2004065467.tif 000006
【図４Ａ】
2004065467.tif 000007
【図４Ｂ】
2004065467.tif 000008
【図５Ａ】
2004065467.tif 000009
【図５Ｂ】
2004065467.tif 000010
【図６Ａ】
2004065467.tif 000011
【図６Ｂ】
2004065467.tif 000012
【図７Ａ】
2004065467.tif 000013
【図７Ｂ】
2004065467.tif 000014
【図８】
2004065467.tif 000015